(57)【要約】  電気的に駆動される車両用のバッテリ装置（１０）であって、複数の個々のバッテリセル（２２）を有する少なくとも１つのバッテリモジュール（２０）を備え、前記バッテリモジュール（２０）がモジュールハウジング（２４）を有し、前記モジュールハウジングは、前記バッテリセル（２２）の温度調節のために少なくとも部分的に温度調節液で満たされており、かつモジュールハウジング（２４）からの温度調節液の流出に対する第１シール装置（２６）を有し、さらに、バッテリモジュール（２０）は、包囲ハウジング（３０）のモジュール室（３２）に収容されており、前記包囲ハウジング（３０）は、前記包囲ハウジングからの温度調節液の流出に対する第２シール装置（３６）を有する、バッテリ装置。
2021508142.tif 000002
【特許請求の範囲】
【請求項１】
電気的に駆動される車両用のバッテリ装置（１０）であって、複数の個々のバッテリセル（２２）を有する少なくとも１つのバッテリモジュール（２０）を備え、前記バッテリモジュール（２０）がモジュールハウジング（２４）を有し、前記モジュールハウジングは、前記バッテリセル（２２）の温度調節のために少なくとも部分的に温度調節液で満たされており、かつモジュールハウジング（２４）からの温度調節液の流出に対する第１シール装置（２６）を有し、さらに、バッテリモジュール（２０）は、包囲ハウジング（３０）のモジュール室（３２）に収容されており、前記包囲ハウジング（３０）は、前記包囲ハウジングからの温度調節液の流出に対する第２シール装置（３６）を有する、バッテリ装置（１０）。
【請求項２】
前記少なくとも１つのバッテリモジュール（２０）と前記包囲ハウジング（３０）の内壁（３４）との間に空間（Ｆ）が形成されており、前記空間が、少なくとも部分的に、特に完全に、又は実質的に完全に追出し材料（４０）で満たされていることを特徴とする、請求項１に記載のバッテリ装置（１０）。
【請求項３】
前記追出し材料（４０）は、特に少なくとも部分的に閉じた発泡孔を含む発泡材料を有することを特徴とする、請求項２に記載のバッテリ装置（１０）。
【請求項４】
前記追出し材料（４０）は、液体を、特に前記温度調節液を有することを特徴とする、請求項２又は請求項３のいずれか一項に記載のバッテリ装置（１０）。
【請求項５】
前記追出し材料（４０）は、特にバルク材料の形の固体を有することを特徴とする、請求項２〜請求項４のいずれか一項に記載のバッテリ装置（１０）。
【請求項６】
前記包囲ハウジング（３０）は、少なくとも２つの部分で形成されており、かつ接続部（５２）を有する浴槽部（５０）と相手接続部（６２）を有する蓋部（６０）とを有し、前記少なくとも１つのバッテリモジュール（２０）が前記浴槽部（５０）に収容されており、前記蓋部（６０）は、前記相手接続部（６２）を介して前記接続部（５２）と液密に接続されていることを特徴とする、請求項１〜請求項５のいずれか一項に記載のバッテリ装置（１０）。
【請求項７】
前記浴槽部（５０）がシール面（５４）を有し、前記蓋部（６０）が相手シール面（６４）を有し、前記シール面と前記相手シール面とは互いに、特に別個のシール手段（７０）を介して液密に接触していることを特徴とする、請求項６に記載のバッテリ装置（１０）。
【請求項８】
前記接続部（５２）は、前記相手接続部（６２）と可逆的又は非可逆的に接続されていることを特徴とする、請求項６又は請求項７のいずれか一項に記載のバッテリ装置（１０）。
【請求項９】
前記包囲ハウジング（３０）は、前記包囲ハウジング（３０）の前記モジュール室（３２）に少なくとも１つの機能手段を挿通するための、特に以下の機能手段、すなわち
−前記少なくとも１つのバッテリモジュール（２０）への電気接続配線、
−前記少なくとも１つのバッテリモジュール（２０）への温度調節液のための液体配管、
−前記少なくとも１つのバッテリモジュール（２０）へのデータ線
のうちの少なくとも１つのための、少なくとも１つの機能通路（３８）を有することを特徴とする、請求項１〜請求項８のいずれか一項に記載のバッテリ装置（１０）。
【請求項１０】
前記包囲ハウジング（３０）は、少なくとも部分的に機械的に安定に形成されていることを特徴とする、請求項１〜請求項９のいずれか一項に記載のバッテリ装置（１０）。
【請求項１１】
請求項１〜請求項１０のいずれか一項の特徴を有するバッテリ装置（１０）用の包囲ハウジング（３０）であって、内壁（３４）を有し、前記内壁は、少なくとも１つのバッテリモジュール（２０）を収容するためのモジュール室（３２）を取り囲み、かつ前記包囲ハウジング（３０）からの温度調節液の流出に対して密封されている、包囲ハウジング。
【請求項１２】
請求項１〜請求項１０のいずれか一項に記載の特徴を有するバッテリ装置（１０）の組立の方法であって、
−請求項１１の特徴を有する包囲ハウジング（３０）のモジュール室（３２）に少なくとも１つのバッテリモジュール（２０）を挿入する工程と、
−前記包囲ハウジング（３０）からの温度調節液の流出に対して前記モジュール室（３２）を液密に閉じる工程と
を包含する、方法。
【請求項１３】
前記モジュール室（３２）を閉じる前に、前記包囲ハウジング（３０）の内壁（３４）と前記少なくとも１つのバッテリモジュール（２０）との間にまだ存在する空間（Ｆ）が追出し材料（４０）で少なくとも部分的に満たされることを特徴とする、請求項１２に記載の方法。
【発明の詳細な説明】
【技術分野】
【０００１】
本発明は、電気的に駆動される車両用のバッテリ装置、電気的に駆動される車両用のバッテリ装置のための包囲ハウジング、及び電気的に駆動される車両用のバッテリ装置の組立の方法に関する。
【背景技術】
【０００２】
本発明の意味において、電気的に駆動される車両とは、バッテリ装置に貯蔵された電気エネルギーを少なくとも部分的に駆動力に変換するためのバッテリ装置を有し得る車両と解されるべきである。これは純粋に電気的に駆動される車両、さらにプラグインハイブリッド車、又はレンジエクステンダを有する車両でもあり得る。バッテリ出力若しくは電力を駆動のために使えるようにするために、バッテリ装置を所定の温度域に保たなければならない。外部温度に左右されるか、又はバッテリ装置の使用時の加熱によって生じ得る過度な低温又は過度な高温は、電力出力を妨げるか、それどころかバッテリ装置を損なう可能性がある。それゆえ、公知のバッテリ装置には常に温度調節装置が設けられており、温度調節装置は、バッテリ装置を加熱するために、温度調節液を用いてバッテリ装置に入熱することができ、又はバッテリ装置を冷却するために、バッテリ装置から熱を導出することができる。
【０００３】
公知の解決策の欠点は、温度調節液がバッテリ装置から歓迎されざる仕方で流出しないことを確実にするために多大な労力をかける必要があるということである。通常、公知の解決策のバッテリ装置は、複数の個々のバッテリセルをバッテリモジュールの形で備えている。
【０００４】
通常、複数のこのようなバッテリモジュールは、バッテリ装置となるよう並べて、又は重ねて接続されている。このことにより、温度調節液を通すための接続が相対的に複雑になる。バッテリセル間の個々の部分、並びにバッテリモジュールの平面の間の部分、及び隣り合うバッテリモジュール間の個々の部分は、温度調節液を移送するために、温度調節液の歓迎されざる流出に対してシールしなければならない。それにより複数のシール手段を、隣り合う個々の部品間の対応する継目に挿入しなければならなくなる。その一方で、それぞれのシール手段と協働して許容精度に課せられる高い要求を満たすため、そしてそれにより所望のシール性能を高い確実性で保証できるようにするために、個々の部分のハウジング部品を特に正確に製造しなければならない。とりわけ、このようなバッテリ装置の組立時には、温度調節液の流出に対する所望のシールを保証できるようにするために、精度及び確実性に関して多大な労力が必要とならざるを得ない。
【発明の概要】
【発明が解決しようとする課題】
【０００５】
本発明の課題は、上述した欠点を少なくとも部分的に解消することである。特に、本発明の課題は、より低コストで、かつ簡単に温度調節液の流出に対するシールを高い確実性で保証できるようにすることである。
【課題を解決するための手段】
【０００６】
上記課題は、請求項１の特徴を有するバッテリ装置、請求項１１の特徴を有する包囲ハウジング、及び請求項１２の特徴を有する方法により解決される。本発明の他の特徴及び詳細は、従属請求項、明細書、及び図面から明らかになる。その際、本発明によるバッテリ装置との関係で記載される特徴及び詳細は、当然のことながら、本発明による包囲ハウジング及び本発明による方法との関係でも、そしてそれぞれ逆の関係でも当てはまり、したがって個々の発明の態様に係る開示に関して常に相互参照されるか、若しくは相互参照され得る。
【０００７】
本発明によれば、バッテリ装置は、電気的に駆動される車両用に形成されている。このために、バッテリ装置は、複数の個々のバッテリセルを含む少なくとも１つのバッテリモジュールを有している。さらに、バッテリモジュールは、モジュールハウジングを備え、モジュールハウジングは、バッテリセルの温度調節のために少なくとも部分的に温度調節液で満たされている。モジュールハウジングが完全に、又は実質的に完全に温度調節液で満たされていることが好ましい。さらに、モジュールハウジングは、モジュールハウジングからの温度調節液の流出に対する第１シール装置を有する。さらに、バッテリモジュールは、包囲ハウジングのモジュール室に収容されており、包囲ハウジングは、この包囲ハウジングからの温度調節液の流出に対する第２シール装置を有する。
【０００８】
バッテリ装置の公知の解決策を出発点として、本発明では２段階の、若しくは２つの部分で防護されたシールシステムが予定されている。公知の解決策では複数の個々のシール手段がバッテリモジュールのモジュールハウジングにおける第１シール装置を提供したのに対して、本発明によれば、この第１シール装置が第２シール装置によって補完されている。その際、個々のバッテリモジュール間、バッテリモジュールの個々の平面間、及び／又は個々のバッテリセル間の複数の継目若しくは接触箇所に第２シール装置が提供される必要がなく、むしろ簡単なジオメトリの包囲ハウジングのシールを提供しさえすればよいので、この第２シール装置は格段に簡単かつ低コストで形成され得る。
【０００９】
公知の解決策では、個々のそれぞれの継目に高い確実性で所望のシール機能性を提供することが必要であった。しかし本発明による解決策では、個々の継目が機能しなくなったときに、すなわち第１シール装置の一箇所が機能しなくなったときに、簡単かつ低コストで提供された包囲ハウジングの第２シール装置によって周辺へ流出が妨げられるので、周辺への温度調節液の流出がはるかに効果的に阻止される。すなわち、第２シール装置は、流体技術的な観点から、第１シール装置が機能しなくなったときに温度調節液を受け止めるために用いられる。第２シール装置は、殊に、第１シール装置がその作用を果たさなくなったか、又は完全には果たさなくなった場合にのみ使用される。
【００１０】
本発明によるバッテリ装置の２段階の密封システムによって、複数の利点を得ることができる。１つには、流出に対する付加的な障壁が第２シール装置によって提供されるので、バッテリ装置からの温度調節液の流出を防ぐ確実性が格段に高くなる。さらに、第１シール装置の個々のシール手段をより簡単に、かつより低コストで形成すること、若しくはそれぞれの組立工程をより迅速に、かつ確実性に関してより少ない労力で保証できることが可能になる。第１シール装置のシール手段に課せられる品質要件が緩和されることにもとづいて、漏れ又は部分漏れ、例えば包囲ハウジングへの温度調節液の液滴漏れが生じた場合のために第２シール装置を設けることによって、周辺への温度調節液の歓迎されざる流出が効果的に回避される。
【００１１】
その際、第１シール装置自体だけでなく、対応するシール面及び相手シール面もより簡単に、かつより低コストでモジュールハウジングに提供することができることにも言及しておかねばならない。これは、特に、製造要件が緩和されることにもとづいて、モジュールハウジングの個々の部品の許容精度に必要な要件が緩和されるという事実にもとづいている。このことは製造の労力の低減と並んで、それ相応に製造コストの低減にもつながる。
【００１２】
その際、対応するシール装置は、それぞれのハウジングの構造と統一的かつ一体的な形態と同じように、個々の別個の部品、例えば別個のシール手段を有していてもよい。
【００１３】
本発明の意味において、温度調節液とは、バッテリモジュールで生じた熱をバッテリ装置内へと輸送し、又はバッテリモジュールからバッテリ装置の外へ熱を輸送することができるあらゆる液体と解されるべきである。その際、対応する機能は、公知のバッテリ装置のための公知の温度調節装置と同一である。
【００１４】
本発明によるバッテリ装置では、少なくとも１つのバッテリモジュールと包囲ハウジングの内壁との間に空間が形成されている場合に、この空間が少なくとも部分的に、特に完全に、又は実質的に完全に追出し材料(Verdraegungsmaterial)で満たされることが有利であり得る。通常、包囲ハウジングは、その中に収容されるバッテリモジュールより大きい。モジュール室への少なくとも１つのバッテリモジュールの簡単かつ容易な、若しくは締付けなしの挿入を保証できるようにするために、通常、遊びが設けられており、この遊びは、少なくとも１つのバッテリモジュールの挿入後にモジュールハウジングと包囲ハウジングの内壁との間に空間を形成する。本発明のこの実施形態では、この空間が追出し材料で満たされる。これは、第１シール装置に漏れが発生した場合に追出し材料がこの空間を、そしてそこにある他の空間を満たし、それにより温度調節液の前記空間への流出が生じなくなることと解されるべきである。換言すると、追出し材料は、漏れが発生した場合に流出する温度調節液を追出しる、若しくは温度調節液が包囲ハウジングにおける小さい空間に入り込み得ることを直接阻止する。このことにより、漏れが発生した場合に、空間が存在するときよりもモジュールハウジングから漏出する温度調節液が格段に少なくなる。漏れが発生した場合にモジュールハウジングから漏出する温度調節液が少なければ少ないほど、バッテリモジュール内の温度調節が高効率で引き続き機能する確実性もそれだけ高くなる。
【００１５】
その際、空間が最小化される、すなわち追出し材料が空間を完全に、又は実質的に完全に満たすことが好ましい。
【００１６】
前述の段落による実施形態では、バッテリ装置において、追出し材料が、特に少なくとも部分的に閉じた発泡孔を含む発泡材料を有する場合に利点を伴う。発泡材料には複数の利点がある。１つには、発泡材料は、特に簡単かつ低コストで空間に導入され得る。導入後に、例えば活性化又は化学反応によって発泡する発泡性の液体が導入されることが好ましい。それにより、空間が追出し材料としての発泡材料によって効果的に閉じられ、特に閉じた状態の発泡孔で満たされる。閉じた発泡孔を含む発泡材料を使用することによって、漏れが発生した場合に閉じた発泡孔に温度調節液が入り込むことができなくなる。しかし閉じた状態の発泡孔の内部が中空に形成されていることにより、このようなフォームを使用することによって、高い追出し効果と追出し材料の軽量の構造、したがってバッテリ装置の小さい重量との組合せを可能にすることができる。
【００１７】
本発明によるバッテリ装置では追出し材料が液体、特に温度調節液を有することも考えられる。当然のことながら、個々のバッテリ装置の異なった追出し材料を互いに組み合わせることも可能である。温度調節液を追出し材料として使用することにより、製造プロセスにおいて追出し材料のための付加的材料を用いる必要がないため、複雑性を低減することが可能になる。
【００１８】
漏れが発生した場合、追出し材料としての温度調節液と流出する温度調節液とが同一であることにより、液体間の化学反応を絶対的な確実性で阻止することができる。その際、場合によってはリブ又は流れ妨害体が追出し材料としての液体を拘束し、不都合な浮遊を回避する場合に有利であり得る。液体の導入も、特に簡単かつ低コストで空間内に可能である。
【００１９】
本発明によるバッテリ装置では、追出し材料がバルク材料の形の固体を有する場合にさらなる利点を伴い得る。その場合、バルク材料は、例えば流れ落ち可能な固体であってもよく、このようにしても同様に簡単かつ低コストで空間に導入することができる。殊に、このような固体は、すでに発泡材料との関係で詳しく説明したように、わずかな自重で高い追出し作用を提供するために、例えば閉じた形の細孔などの細孔であってもよい。
【００２０】
本発明によるバッテリ装置では、包囲ハウジングが少なくとも２つの部分で形成されており、かつ接続部を有する浴槽部と、相手接続部を有する蓋部とを備える場合も同様に有利であり得る。その際、少なくとも１つのバッテリモジュールが浴槽部に収容され、蓋部は、その相手接続部を介して接続部と液密に接続されている。包囲ハウジングの複数部分からなる形態によって簡単かつ低コストの製造が可能になる。したがって、包囲ハウジングの個々の部品を、簡単に、特にプラスチック材料から例えば射出成形法を用いて製造してもよい。組立のために、浴槽部を直接少なくとも１つのモジュールを収容するために用いることができ、それにより、これから閉じられるべきモジュール室にいわば事前に取りつけること、若しくは事前に位置決めすることが保証され得る。蓋部を用いてモジュール室を閉鎖することにより、機械的な防護が提供されるだけでなく、それと同時に、第２シール装置を形成するための液密の接続も保証される。
【００２１】
前述段落によるバッテリ装置では、浴槽部がシール面を有し、蓋部が相手シール面を有し、これらのシール面が互いに、特に別個のシール手段を介して液密に接触している場合に有利である。これは、接続部と相手接続部との間の接続とは別個に、第２シール装置の所望のシール機能を提供できることを保証する。
【００２２】
特に、別個のシール手段を用いて、包囲ハウジングの個々の部品の製造時の低い公差要求を可能にすることができる。
【００２３】
さらに、前述の２つの段落のバッテリ装置では、接続部が相手接続部と可逆的又は非可逆的に接続されている場合に有利である。このような接続は、例えば接着、溶接、又は非可逆的係止によって提供されてもよい。したがって、非可逆的な、特に液密の接続によって、ここでは第２シール装置のシール機能性を簡単に、低コストで、かつ特に接続機能性との機能結合で提供できるようにすることができる。
【００２４】
本発明によるバッテリ装置では、包囲ハウジングが包囲ハウジングのモジュール室への少なくとも１つの機能手段の挿通のために、特に以下の機能手段、すなわち
−少なくとも１つのバッテリモジュールへの電気接続配線、
−少なくとも１つのバッテリモジュールへの温度調節液のための液体配管、
−少なくとも１つのバッテリモジュールへのデータ線
のうちの少なくとも１つのための、少なくとも１つの機能通路を有する場合にさらなる利点を得ることができる。
【００２５】
前述の列挙は、例示にすぎない。バッテリ装置の機能性を妨げないために、個々の機能のアクセスのための機能通路が提供されていてもよい。この機能通路が包囲ハウジングにおける脆弱箇所になることを回避するために、機能通路は、殊に、同様に第２シール装置を備え、それにより電気接続配線、液体配管、データ線、又はそれに類する線が挿通されても包囲ハウジングからの温度調節液のの歓迎されざる流出に対して密封が提供される。
【００２６】
さらに、本発明によるバッテリ装置では、包囲ハウジングが少なくとも部分的に機械的に安定に形成されている場合に有利である。このことにより、同様に基本的に可能な可撓性及び／又は弾性の、殊にスキンのような形態とは異なり、付加的な機能性として、個々のバッテリモジュールの機械的安定化、若しくは機械的保護も提供され得る。そのことによって、機械的保護は、使用される追出し材料による相応の機械的減衰作用が付加的にバッテリモジュールのための保護機能を提供する場合にさらに強化される。
【００２７】
本発明のさらに別の主題は、少なくとも１つのバッテリモジュールを収容するためのモジュール室を取り囲む内壁を有する、本発明によるバッテリ装置のための包囲ハウジングである。内壁若しくは包囲ハウジングは、包囲ハウジングからの温度調節液の流出に対して密封されている。したがって、本発明による包囲ハウジングは、本発明によるバッテリ装置との関係で詳しく説明されたのと同じ利点を伴う。
【００２８】
本発明のさらに別の主題は、
−本発明による包囲ハウジングのモジュール室に少なくとも１つのバッテリモジュールを嵌め込む工程と、
−包囲ハウジングからの温度調節液の流出に対してモジュール室を液密に閉じる工程と
を包含する、本発明によるバッテリ装置の組立の方法である。
本発明によるバッテリ装置のこの実施形態によって、本発明による方法は、本発明によるバッテリ装置との関係で詳しく説明したのと同じ利点を伴う。
【００２９】
本発明による方法を、モジュール室を閉じる前に、包囲ハウジングの内壁と少なくとも１つのバッテリモジュールとの間にまだ存在する空間が追出し材料で少なくとも部分的に満たされるように展開することができる。追出し材料及び利点についても、バッテリ装置の対応する実施形態との関係で詳しく説明した。
【００３０】
本発明の他の利点、特徴、及び詳細は、図面を参照しながら本発明の実施例が詳しく説明される以下の記載から明らかになる。その際、請求項及び明細書において言及された特徴は、それぞれ単独で、又は任意に組み合わせた形で本発明に不可欠であり得る。
【図面の簡単な説明】
【００３１】
【図１】図１は、第１組立工程における本発明によるバッテリ装置の実施形態を示した模式図である。
【図２】図２は、さらに別の組立工程における図１の実施形態を示した模式図である。
【図３】図３は、組立終了後の図１及び図２の実施形態を示した模式図である。
【図４】図４は、本発明によるバッテリ装置のさらに別の実施形態を示した模式図である。
【発明を実施するための形態】
【００３２】
本発明によるバッテリ装置１０を製造する方法について図１〜図３をもとにして説明する。図１に、複数の部分で形成された包囲ハウジング１０の浴槽部５０が設けられていることが見て取れる。この浴槽部５０は、包囲ハウジング３０の収容室３２の大部分をすでに画定している。次に、このモジュール室３２に、上から図１による矢印方向に沿ってバッテリモジュール２０が挿入される。
【００３３】
図１には、ここに図示されるバッテリモジュール２０がモジュールハウジング２４を備えていることも良好に見て取れる。この場合、モジュールハウジング２４は、複数の個々のバッテリセル２２を取り囲み、これらのバッテリセルもまた、個々の平面において左から右へ設けられて別々に接続若しくは配置されている。モジュールハウジング２４内に個々のバッテリセル２２の温度調節のために配されている温度調節液が流出しないことを確保するために、平面間の個々の継目に、及びモジュールハウジング２４の終点に第１シール装置２６の個々のシールエレメントが配置されている。図１において、モジュールハウジング２４の終端の左右のそれぞれの箇所、及び例示的にバッテリセル２２の右側の平面と最後から２番目の平面との間の継目が模式的に示されている。
【００３４】
当然のことながら、他のすべての継目にも、第１シール装置２６を形成するための相応のシール手段が設けられている。
【００３５】
図２に示される位置にバッテリモジュール２０を挿入した後、バッテリモジュール２０と包囲ハウジング３０の内壁３４との間の左側及び右側には空間Ｆが残る。次に、この空間Ｆが、図３及び図４において後からさらに詳しく説明するように、追出し材料４０で満たされる。
【００３６】
この実施形態では、第２シール装置３６をさらに形成するために、浴槽部５０のシール面５４上には接続部５２の隣に別個のシール手段７０が配置される。続いて、蓋部６０が上から矢印方向に沿って載置されることによってモジュール室３２が閉じられる。例えば図３は、この過程の終わりを示す。こうして蓋部６０が載置されており、モジュール室３２を閉鎖し、このモジュール室にはバッテリモジュール２０だけでなく、左右に、ここでは殊に少なくとも部分的に閉じた発泡孔を有する発泡材料の形の追出し材料４０も充填若しくは導入されている。それにより包囲ハウジング３０が閉じ、接続部５２と相手接続部６２との間が左右で非可逆的に閉鎖される。第２シール装置３６のシール作用を保証できるようにするために、シール手段７０をさらに相応に圧し潰すことによって所望のシール力が加えられている。
【００３７】
図４は、本発明によるバッテリ装置１０のさらに別の実施形態である。図３の実施形態を出発点として、上にまだ残っている空間Ｆにも追出し材料４０が充填されている。さらに、包囲ハウジング３０の浴槽部５０の右側には媒体、データ、又は電力の引込み若しくは引出しのための２つの機能通路３８の形の通路が見て取れる。第２シール装置３６は、殊に、この機能通路３８上にも延在し、それによりここでも包囲ハウジング３０からの温度調節液の不都合な流出に対する効果的な密封が確保されている。
【００３８】
上記の実施形態の説明は、本発明を例示の範囲で説明するにすぎない。当然のことながら、実施形態の個々の特徴を本発明の範囲から逸脱することなく技術的に有意義である限りで互いに自由に互いに組み合わせることができる。
【符号の説明】
【００３９】
１０  バッテリ装置
２０  バッテリモジュール
２２  バッテリセル
２４  モジュールハウジング
２６  第１シール装置
３０  包囲ハウジング
３２  モジュール室
３４  内壁
３６  第２シール装置
３８  機能通路
４０  追出し材料
５０  浴槽部
５２  接続部
５４  シール面
６０  蓋部
６２  相手接続部
６４  相手シール面
７０  シール手段
Ｆ  空間
【図１】
2021508142.tif 000003
【図２】
2021508142.tif 000004
【図３】
2021508142.tif 000005
【図４】
2021508142.tif 000006
【国際調査報告】
2021508142.tif 000007
2021508142.tif 000008
2021508142.tif 000009
2021508142.tif 000010
2021508142.tif 000011
2021508142.tif 000012